(57)【要約】【課題】通気性及び体圧分散性に優れ、しかも軽量な敷きパッドの提供を目的とする。【解決手段】板状弾性発泡体１０ａからなる敷きパッド１０において、前記板状弾性発泡体１０ａの上下面を貫通する複数の略平行な切り込み１１によって複数の略平行な切り込み間部分１３を該切り込み間部分１３の両端付近で互いに連結した状態で形成し、前記複数の切り込み間部分１３を交互に前記板状弾性発泡体１０ａの反対側へ捻らせて前記板状弾性発泡体１０ａの表面で隆起させた。隣り合う切り込み間部分１３同士は、捻れによって互いに接近した端部の何れか一方が他方に乗り上げた状態で係止している。前記捻れにより隆起した部分１７は、前記板状弾性発泡体における複数箇所に形成されている。【選択図】        図１
2006167324.tif 000002
【特許請求の範囲】
【請求項１】
板状弾性発泡体（１０ａ）からなる敷きパッドにおいて、
前記板状弾性発泡体（１０ａ）の上下面を貫通する複数の略平行な切り込み（１１）によって複数の略平行な切り込み間部分（１３）を該切り込み間部分（１３）の両端付近で互いに連結した状態で設けると共に、前記複数の切り込み間部分（１３）について、隣り合う切り込み間部分（１３ａ，１３ｂ）を互いに前記板状弾性発泡体（１０ａ）の反対側へ捻らせて前記板状弾性発泡体（１０ａ）の表面で隆起させたことを特徴とする敷きパッド。
【請求項２】
前記隣り合う切り込み間部分（１３ａ，１３ｂ）は、捻れによって互いに接近した端部（１６ａ，１６ｂ）の何れか一方（１６ａ）が、他方（１６ｂ）に乗り上げた状態で係止することにより前記捻れ状態が維持されていることを特徴とする請求項１に記載の敷きパッド。
【請求項３】
前記捻れにより隆起した部分（１７）が、前記板状弾性発泡体（１０ａ）の複数箇所に形成されていることを特徴とする請求項１または２に記載の敷きパッド。
【発明の詳細な説明】
【技術分野】
【０００１】
本発明は、マットレスやふとん等の上に敷かれる敷きパッドに関する。
【背景技術】
【０００２】
従来、極太のマルチフィラメント嵩高加工糸に不織布を被覆してなるロッドを布材に一定間隔で係着させたものを中材とし、これを側地（がわじ）で被覆した寝具用敷物や、中空の棒状で起伏形状を有する通気材からなる敷物などがある。
【０００３】
しかし、マットレスやふとん等の上に敷かれる敷きパッドにおいては、通気性の他に体圧分散性についても良好であることが求められ、従来の寝具用敷物ではそれらについて充分とは言い難かった。また、マットレスやふとん等の上に敷かれる敷きパッドは、軽量性のものが要求される。
【特許文献１】特開平９−２１５５５７号公報
【特許文献２】実用新案登録第３０２０６８５号公報
【発明の開示】
【発明が解決しようとする課題】
【０００４】
本発明は前記の点に鑑みなされたものであって、通気性及び体圧分散性に優れ、しかも軽量な敷きパッドの提供を目的とする。
【課題を解決するための手段】
【０００５】
請求項１の発明は、板状弾性発泡体からなる敷きパッドにおいて、前記板状弾性発泡体の上下面を貫通する複数の略平行な切り込みによって複数の略平行な切り込み間部分を該切り込み間部分の両端付近で互いに連結した状態で設けると共に、前記複数の切り込み間部分について、隣り合う切り込み間部分を互いに前記板状弾性発泡体の反対側へ捻らせて前記板状弾性発泡体の表面で隆起させたことを特徴とする。
【０００６】
請求項２の発明は、請求項１において、前記隣り合う切り込み間部分同士は、捻れによって互いに接近した端部の何れか一方が、他方に乗り上げた状態で係止することにより前記捻れ状態が維持されていることを特徴とする。
【０００７】
請求項３の発明は、請求項１または２において、前記捻れにより隆起した部分が、前記板状弾性発泡体における複数箇所に形成されていることを特徴とする。
【発明の効果】
【０００８】
請求項１の発明の敷きパッドによれば、前記板状弾性発泡体の上下面を貫通する複数の略平行な切り込みによって複数の略平行な切り込み間部分を該切り込み間部分の両端付近で互いに連結した状態で設け、前記複数の切り込み間部分について、隣り合う切り込み間部分を互いに前記板状弾性発泡体の反対側へ捻らせて前記板状弾性発泡体の表面で隆起させたため、隆起部分の存在によって体圧分散性を向上させることができると共に、板状弾性発泡体の上下面を貫通する複数の切り込みによって通気性増大効果が得られ、しかも弾性発泡体からなるため、優れた軽量性が得られる。
【０００９】
請求項２の発明の敷きパッドによれば、隣り合う前記切り込み間部分同士は、捻れによって互いに接近した端部の何れか一方が他方に乗り上げた状態で係止しているため、捻れ状態が維持され易く、使用中に捻れが解消され難い。
【００１０】
請求項３の発明の敷きパッドによれば、捻れにより隆起した部分が、前記板状弾性発泡体における複数箇所に形成されているため、体圧分散性がより良好となる。
【発明を実施するための最良の形態】
【００１１】
以下本発明の実施形態を詳細に説明する。図１は本発明の一実施形態に係る敷きパッドの概略斜視図、図２は図１の敷きパッドにおいて捻れにより隆起した一区画の概略平面図、図３は図２の３−３断面図、図４は捻れによる隆起部分の一部切り欠き概略斜視図である。
【００１２】
図１に示す敷きパッド１０は板状弾性発泡体１０ａからなる。弾性発泡体は、適宜の材質とされ、例えばオレフィン系発泡体、ポリウレタン発泡体を挙げることができる。ポリウレタン発泡体の場合、所定形状の金型内に混合反応液を充填注入し、型締め後、型内で発泡硬化させたモールド発泡体、あるいは常温大気圧下に２液性反応混合液をベルトコンベア上に吐出して発泡硬化させ、その後に所定形状に切り出されたスラブ発泡体の何れでもよい。なお、ポリウレタンのスラブ発泡体は、公知の技術により製造された市販のものを使用することができる。板状弾性発泡体１０ａの厚みは、３〜５０ｍｍ、特に好ましくは２０〜４０ｍｍである。３ｍｍ未満の場合、薄すぎて敷きパッドとして適さなくなる。また、５０ｍｍを超える場合、厚みが大きすぎて、マットレスやふとんの上に敷いた場合、寝具表面が高くなりすぎ、また、敷きパッド１０の加工が難しくなる。
【００１３】
前記板状弾性発泡体１０ａには、図２及び図３に示すように、上下面を貫通する複数の略平行な切り込み１１が形成され、隣り合う切り込み１１同士によって挟まれた部分、すなわち切り込み間部分１３が複数、略平行にかつ両端付近で互いに連結された状態で設けられている。符号１９は前記切り込み間部分１３の両端付近の連結部分である。前記連結部分１９では、前記切り込み１１が形成されていない。前記連結部分１９は、図示の例では菱形の枠状に形成され、前記菱形枠状の連結部分１９で包囲された部分が、所定間隔で板状弾性発泡体１０ａに複数箇所設けられている。
【００１４】
前記切り込み１１の間隔、すなわち前記切り込み間部分１３の幅ｄは、適宜とされるが、例として５〜３０ｍｍ程度を挙げる。前記複数の切り込み間部分１３は、図３及び図４にも示すように、隣り合う切り込み間部分１３ａ，１３ｂが互いに前記板状弾性発泡体１０ａの反対側へ捻れ、すなわち複数の切り込み間部分１３が交互に板状弾性発泡体１０ａの上側と下側へ捻れ、前記板状弾性発泡体１０ａの上側表面と下側表面で隆起している。図示の例では隣り合う切り込み間部分１３ａ，１３ｂのうち、一方の切り込み間部分１３ａが板状弾性発泡体１０ａの上面側へ捻れて該上面側で隆起し、他方の切り込み間部分１３ｂが板状弾性発泡体１０ａの下面側へ捻れて該下面側で隆起している。前記捻れによって隆起した部分１７は、前記菱形枠状の連結部分１９で包囲された区画毎に形成され、それにより前記板状弾性発泡体１０ａの複数箇所に前記隆起した部分１７が設けられている。なお、前記各区画における切り込み間部分１３の長さは、適宜とされるが、例として１０〜２００ｍｍ程度を挙げる。また、前記切り込み１１の形成は、適宜の方法、例えばプレスにより、あるいは刃の付いたローラ等により行われる。
【００１５】
前記捻れによって隆起した部分１７では、前記切り込み間部分１３が一つおきに板状弾性発泡体１０ａの一側へ捻れ、その間の切り込み間部分が反対側へ捻れているため、同一側へ捻れた切り込み間部分１３においては、隣同士の間に隙間１８を生じ、優れた通気性が得られる。さらに、前記捻れによって隆起した部分１７の存在によって、敷きパッド１０上に人体が寝た場合の体圧分散性が向上する。
【００１６】
また、隣り合う前記切り込み間部分１３ａ，１３ｂは、図３及び図４に示すように、捻れによって互いに接近した端部１６ａ，１６ｂの何れか一方１６ａが他方１６ｂに中央部で乗り上げた状態で係止しており、切り込み間部分１３の捻れが容易に解消しないようにされている。そのため、前記敷きパッド１０が使用等によって圧縮されても、切り込み間部分１３の捻れが解消され難く、優れた通気性及び体圧分散性を維持することができる。前記の係止される部位は、適宜接着剤等により連結されていてもよい。なお、図示の例では、互いに接近した端部（１６ａ，１６ｂ）の一方が他方に乗り上ることになる前記隣り合う切り込み間部分（１３ａ，１３ａ）は、複数の切り込み間部分１３において隣り合う二つの切り込み間部分（１３ａ，１３ｂ）が一つの組とされて、複数の切り込み間部分１３が複数の組に分けられ、各組毎において前記互いに接近する端部１６ａ，１６ｂの係止が行われており、隣り合う組同士の切り込み間部分については、前記端部の係止は行われていない。また、前記敷きパッド１０は、表布からなる袋体内に挿入されて使用されるが、前記切り込み１１の存在によって折り曲げ、圧縮、変形が容易となることから、前記袋体内への挿入作業がやり易くなる。
【実施例】
【００１７】
密度１６ｋｇ／ｍ３、硬さ７８．５Ｎ、引張り強さ６９ＫＰａ（何れもＪＩＳ  Ｋ６４００準拠）のポリウレタン発泡体（品番：ＥＣＺ、株式会社イノアックコーポレーション製）を、５０×１０００×２０００ｍｍの板状とし、該板状ポリウレタン発泡体に、一辺の長さ１１０ｍｍの菱形枠状をした前記連結部分１９で包囲された区画を中心間隔１４０ｍｍで複数個設け、前記各区画には切り込み１１を５ｍｍ間隔で平行に形成して切り込み間部分１３を３０個設けた。各区画における切り込み間部分１３の長さは１０〜１３０ｍｍである。前記切り込みによって形成された切り込み間部分１３を交互に板状ポリウレタン発泡体の反対側へ捻らせ、さらに、隣り合う切り込み間部分同士については、捻れによって互いに接近した端部の何れか一方を他方に乗り上げた状態で係止させた。これにより、捻れによって隆起した部分を板状ポリウレタン発泡体の両側に区画毎に形成し、実施例の敷きパッドを得た。
【００１８】
前記実施例の敷きパッドを布製の袋体に収納したものを、ボンネル上に敷いて体圧分散テストを行った。体圧分散テストは、「ビジュアルマット」（ニッタ株式会社製）装置を用い、人体が実際に寝た際の圧力分布を調べることによって行った。また、実施例と同一材質、同一寸法の板状ポリウレタン発泡体に切り込みが形成されていないものを比較例の敷きパッドとした。比較例の敷きパッドを袋体に収納してボンネル上に敷き、実施例と同様に体圧分散テストを行った。
【００１９】
テストの結果は、図５に示すように、比較例においては高い圧力を示す赤色の部分が多いのに対し、実施例では高い圧力を示す赤色の部分が無く、全範囲が黄色以下であり、体圧が良好に分散されているのがわかる。
【図面の簡単な説明】
【００２０】
【図１】本発明の一実施形態に係る敷きパッドの概略斜視図である。
【図２】図１の敷きパッドにおいて捻れにより隆起した一区画の概略平面図である。
【図３】図２の３−３断面図である。
【図４】捻れによる隆起部分を一部切り欠いて示す概略斜視図である。
【図５】体圧分散テストの結果を示す図である。
【符号の説明】
【００２１】
１０  敷きパッド
１０ａ  板状弾性発泡体
１１  切り込み
１３  切り込み間部分
１３ａ，１３ｂ  隣り合う切り込み間部分
１６ａ，１６ｂ  捻れによって互いに接近した端部
１７  隆起した部分
１９  連結部分
【図１】
2006167324.tif 000003
【図２】
2006167324.tif 000004
【図３】
2006167324.tif 000005
【図４】
2006167324.tif 000006
【図５】
2006167324.tif 000007